(57)【要約】【課題】電子機器装置において、減電圧状態になった場合及び過電圧状態になった場合に、より確実に回路を保護する。【解決手段】電子機器装置１は、第１の規定電圧値以下の電圧が電子機器装置１に供給される減電圧状態になった場合に、マイコン８をリセットさせ、第２の規定電圧値以上の電圧が電子機器装置１に供給される過電圧状態になった場合に、ヒューズ１０を溶断させる減電圧／過電圧検出回路１１を備える。減電圧／過電圧検出回路１１は、平滑用のコンデンサ４により平滑化された電圧（１次側電圧出力ラインＬ１から出力された電圧）を監視し、平滑用のコンデンサ４により平滑化された電圧に基いて、減電圧状態、及び過電圧状態を検出する。そして、減電圧／過電圧検出回路１１は、過電圧状態を検出した場合には、マイコン８をリセットさせ、過電圧状態を検出した場合には、ヒューズ１０を溶断させる。【選択図】図１
2013066282.tif 000002
【特許請求の範囲】
【請求項１】
本装置に供給された電圧を整流する整流回路部と、前記整流回路部により整流された電圧を平滑化する平滑用のコンデンサと、前記平滑用のコンデンサにより平滑化された電圧を変圧するトランスと、前記トランスにより変圧された電圧から生成される電圧によって動作して、本装置の動作を制御するマイコンと、本装置への電圧の供給を遮断するヒューズとを備える電子機器装置において、
前記平滑用のコンデンサにより平滑化された電圧を監視する減電圧／過電圧検出回路を備え、
前記減電圧／過電圧検出回路は、前記平滑用のコンデンサにより平滑化された電圧に基いて、定格電圧値よりも小さい第１の規定電圧値以下の電圧が本装置に供給される減電圧状態、及び前記定格電圧値よりも大きい第２の規定電圧値以上の電圧が本装置に供給される過電圧状態を検出し、前記減電圧状態を検出した場合には、前記マイコンをリセットさせ、前記過電圧状態を検出した場合には、前記ヒューズを溶断させることを特徴とする、電子機器装置。
【請求項２】
前記減電圧／過電圧検出回路は、
前記減電圧状態及び前記過電圧状態を検出する電圧検出手段と、
前記電圧検出手段によって前記減電圧状態が検出された場合にオン／オフが切り替わる第１のスイッチング素子を有し、該第１のスイッチング素子のオン／オフが切り替わることにより、前記マイコンをリセットさせるためのリセット信号を出力するリセット信号生成手段と、
前記電圧検出手段によって前記過電圧状態が検出された場合にオン／オフが切り替わる第２のスイッチング素子を有し、該第２のスイッチング素子のオン／オフが切り替わることにより、前記ヒューズを溶断させる過電流を流すヒューズ溶断手段とを備え、
前記電圧検出手段によって前記減電圧状態が検出された場合、前記リセット信号生成手段によって前記マイコンをリセットさせるためのリセット信号を出力することにより、前記マイコンをリセットさせ、
前記電圧検出手段によって前記過電圧状態が検出された場合、前記ヒューズ溶断手段によって前記ヒューズを溶断させる過電流を流すことにより、前記ヒューズを溶断させることを特徴とする、請求項１に記載の電子機器装置。
【請求項３】
前記電圧検出手段は、前記平滑用のコンデンサにより平滑化された電圧を、少なくとも第１の電圧及び第２の電圧に分圧する複数の抵抗を含み、該複数の抵抗によって分圧された前記第１の電圧に基いて、前記減電圧状態を検出すると共に、該複数の抵抗によって分圧された前記第２の電圧に基いて、前記過電圧状態を検出し、
前記リセット信号生成手段における前記第１のスイッチング素子のオン／オフは、前記第１の電圧に基いて切り替わり、
前記ヒューズ溶断手段における前記第２のスイッチング素子のオン／オフは、前記第２の電圧に基いて切り替わることを特徴とする、請求項２に記載の電子機器装置。
【請求項４】
前記電圧検出手段における前記複数の抵抗は、前記平滑用のコンデンサにより平滑化された電圧の出力ラインとグランドとの間に直列に接続され、
前記リセット信号生成手段は、
前記第１のスイッチング素子に加え、第３のスイッチング素子と、フォトカプラとを有し、
前記第１のスイッチング素子は、電界効果トランジスタであり、ゲートが前記複数の抵抗の間に接続され、ドレインが前記平滑用のコンデンサにより平滑化された電圧の出力ラインと前記フォトカプラの発光ダイオードのアノードとの間に接続され、ソースがグランドに接続されており、
前記第３のスイッチング素子は、接合形トランジスタであり、ベースが前記フォトカプラのフォトトランジスタのコレクタに接続され、コレクタが前記マイコンをリセットさせるためのリセット信号の出力ラインとされ、エミッタがグランドに接続されており、
前記フォトカプラは、その発光ダイオードのアノードが前記平滑用のコンデンサにより平滑化された電圧の出力ラインと前記第１のスイッチング素子のドレインとの間に接続され、該発光ダイオードのカソードがグランドに接続され、そのフォトトランジスタのコレクタが前記第３のスイッチング素子のベースに接続され、該フォトトランジスタのエミッタがグランドに接続されており、
前記電圧検出手段によって前記減電圧状態が検出されたときに、前記複数の抵抗により分圧された前記第１の電圧によって前記第１のスイッチング素子が導通しないことにより、前記フォトカプラのフォトトランジスタを導通させ、前記第３のスイッチング素子を導通させて、前記第３のスイッチング素子のコレクタをグランドレベルにして、前記マイコンをリセットさせるためのリセット信号を出力することを特徴とする、請求項３に記載の電子機器装置。
【請求項５】
前記電圧検出手段における前記複数の抵抗は、前記平滑用のコンデンサにより平滑化された電圧の出力ラインとグランドとの間に直列に接続され、
前記ヒューズ溶断手段は、
前記第２のスイッチング素子を有し、
前記第２のスイッチング素子は、電界効果トランジスタであり、ゲートが前記複数の抵抗の間に接続され、ドレインが前記平滑用のコンデンサにより平滑化された電圧の出力ラインに接続され、ソースがグランドに接続されており、
前記電圧検出手段によって前記過電圧圧状態が検出されたときに、前記複数の抵抗により分圧された前記第２の電圧によって前記第２のスイッチング素子が導通することにより、前記ヒューズを溶断させる過電流を流すことを特徴とする、請求項３に記載の電子機器装置。
【発明の詳細な説明】
【技術分野】
【０００１】
本発明は、商用ＡＣ電源から交流電圧の供給を受けて動作する電子機器装置に関するものである。
【背景技術】
【０００２】
従来から、例えば液晶テレビやＤＶＤレコーダ等の電子機器装置は、商用ＡＣ電源から交流電圧の供給を受けて動作するようになっている。また、このような電子機器装置は、マイコンを備えており、マイコンによる制御のもと、動作するようになっている。商用ＡＣ電源から電子機器装置に供給される電圧は、送配電異常などで、減電圧状態（例えば、本来供給されるべき定格電圧値の半分の電圧値以下の電圧の状態）になったり、過電圧状態（例えば、本来供給されるべき定格電圧値の２倍の電圧値以上の電圧の状態）になる場合がある。このため、減電圧状態になった場合に、回路を保護するようにした電子機器装置や、過電圧状態になった場合に、回路を保護するようにした電子機器装置がある。減電圧状態になった場合に、回路を保護するようにした電子機器装置としては、図２に示す構成のものが知られている。また、過電圧状態になった場合に、回路を保護するようにした電子機器装置としては、図３に示す構成のものが知られている。
【０００３】
図２に示す電子機器装置６０は、ＡＣコンセント６１が商用ＡＣ電源に接続されることにより、商用ＡＣ電源から交流電圧が供給され、商用ＡＣ電源から供給された交流電圧が、ＡＣコンセント６１からヒューズ６２を介して整流回路部６３に入力される。整流回路部６３に入力された交流電圧は、整流回路部６３により整流され、整流回路部６３により整流された直流電圧は、平滑用のコンデンサ６４により平滑化される。平滑用のコンデンサ６４により平滑化された電圧が発振回路６５に入力されることにより、発振回路６５によって電源トランス６６が駆動され、電源トランス６６の２次側コイルから所定の電圧（１次側コイルに流れる電流の変化及び１次側コイルと２次側コイルとのコイル巻数比に応じた電圧）が出力される。そして、２次側電源回路６７により、電源トランス６６の２次側コイルから出力される電圧から、マイコン６８、及び不図示の負荷（液晶ディスプレイやＤＶＤドライブ等）を動作させるための各電圧値の電圧が生成される。
【０００４】
また、電子機器装置６０は、リセットＩＣ６９からマイコン６８に入力される起動制御電圧がハイレベルからローレベルに変化することにより、マイコン６８がリセットされる。リセットＩＣ６９からマイコン６８に入力される起動制御電圧は、リセットＩＣ６９に入力されるリセット電圧がグランドレベルのときに、ローレベルになり、リセットＩＣ６９に入力されるリセット電圧が所定電圧値以上のときに、ハイレベルになる。
【０００５】
そして、電子機器装置６０は、減電圧検出回路７０によって、減電圧状態になったことを検出し、減電圧状態になった場合に、回路を保護するようになっている。商用ＡＣ電源から電子機器装置６０に供給される電圧が低下すると、電源トランス６６の出力のマイナス成分（２次側コイルから出力される交流電圧のマイナス成分）が小さくなる。減電圧検出回路７０は、電源トランス６６の出力のマイナス成分を監視し、電源トランス６６の出力のマイナス成分が小さくなったことをもって、減電圧状態になったことを検出する。そして、減電圧検出回路７０は、減電圧状態になったことを検出したとき（電源トランス６６の２次側コイルの出力のマイナス成分が小さくなったとき）に、スイッチング素子Ｔ６を導通状態にして、リセットＩＣ６９に入力されるリセット電圧をグランドレベルにして、マイコンをリセットさせることにより、回路を保護するようになっている。
【０００６】
図３に示す電子機器装置８０は、図２に示した電子回路６０と同様に、ＡＣコンセント６１が商用ＡＣ電源に接続されることにより、商用ＡＣ電源から交流電圧が供給され、２次側電源回路６７により、各電圧値の電圧が生成される。
【０００７】
そして、電子機器装置８０は、過電圧検出回路９０によって、過電圧状態になったことを検出し、過電圧状態になった場合に、回路を保護するようになっている。商用ＡＣ電源から電子機器装置８０に供給される電圧が上昇すると、平滑用のコンデンサ６４により平滑化された電圧が上昇する。過電圧検出回路９０は、平滑用のコンデンサ６４により平滑化された電圧を監視し、平滑用のコンデンサ６４により平滑化された電圧が大きくなったことをもって、過電圧状態になったことを検出する。そして、過電圧検出回路９０は、過電圧状態になったことを検出したとき（平滑用のコンデンサ６４により平滑化された電圧が大きくなったとき）に、スイッチング素子Ｔ８を導通状態にして、ヒューズ６２に過電流を流して、ヒューズ６２を溶断させることにより、回路を保護するようになっている。
【０００８】
一方、電源供給回路の１次側電圧に基いて、減電圧状態及び過電圧状態を検出し、減電圧状態及び過電圧状態を検出したときに、マイコンが電源供給回路を停止させるようにした電子機器装置が知られている（例えば特許文献１参照）。また、車両に搭載されているバッテリ電源から電圧の供給を受けて動作する車載用の電子機器装置において、車両に搭載されているバッテリ電源の減電圧異常及び過電圧異常を検出し、バッテリ電源の減電圧異常及び過電圧異常を検出したときに、負荷回路に対して所定の電源異常対策制御を行うようにした電子機器装置が知られている（例えば特許文献２参照）。また、フライバック方式の電源回路の電圧出力ライン（２次側の電圧出力ライン）から出力される電圧に基いて、減電圧状態及び過電圧状態を検出し、減電圧状態及び過電圧状態を検出したときに、マイコンが電源回路を停止させるようにした電子機器装置が知られている（例えば特許文献３参照）。
【先行技術文献】
【特許文献】
【０００９】
【特許文献１】特開２００８−２１９６５８号公報
【特許文献２】特開平７−３０２３９２号公報
【特許文献３】実用新案登録第３１２３１０６号公報
【発明の概要】
【発明が解決しようとする課題】
【００１０】
ところで、電子機器装置において、減電圧状態になった場合及び過電圧状態になった場合に回路を保護するには、上述した図２に示した電子機器装置６０における減電圧検出回路７０と、図３に示した電子機器装置８０における過電圧検出回路９０の両方を設けることが考えられる。
【００１１】
しかしながら、電子機器装置６０における減電圧検出回路７０は、電源トランス６６の出力のマイナス成分が小さくなったことをもって、減電圧状態になったことを検出するようになっている。このため、電子機器装置６０における減電圧検出回路７０では、電源トランス６６を異なる種類（異なる構造）のものに変更すると、定数設定を変更（減電圧検出回路７０を構成する抵抗やダイオード等を変更）しなければ、正確に減電圧状態を検出することができない。また、電源トランス６６が同じ種類のものであっても、電源トランス６６の個々のバラツキ（個体差）により、減電圧状態の検出にバラツキを生じてしまい、正確に減電圧状態を検出することができない。
【００１２】
つまり、減電圧状態になった場合及び過電圧状態になった場合に回路を保護するために、電子機器装置６０における減電圧検出回路７０と、電子機器装置８０における過電圧検出回路９０の両方を設けたとしても、減電圧状態になった場合及び過電圧状態になった場合に、回路を保護できない虞がある。なお、上述した特許文献１乃至特許文献３に開示の内容を適用したとしても、上記の問題を解決することはできない。
【００１３】
本発明は、上記課題を解決するためになされたものであり、減電圧状態になった場合及び過電圧状態になった場合に、より確実に回路を保護することができる電子機器装置を提供することを目的とする。
【課題を解決するための手段】
【００１４】
上記目的を達成するために請求項１の発明は、本装置に供給された電圧を整流する整流回路部と、整流回路部により整流された電圧を平滑化する平滑用のコンデンサと、平滑用のコンデンサにより平滑化された電圧を変圧するトランスと、トランスにより変圧された電圧から生成される電圧によって動作して、本装置の動作を制御するマイコンと、本装置への電圧の供給を遮断するヒューズとを備える電子機器装置において、平滑用のコンデンサにより平滑化された電圧を監視する減電圧／過電圧検出回路を備え、減電圧／過電圧検出回路は、平滑用のコンデンサにより平滑化された電圧に基いて、定格電圧値よりも小さい第１の規定電圧値以下の電圧が本装置に供給される減電圧状態、及び定格電圧値よりも大きい第２の規定電圧値以上の電圧が本装置に供給される過電圧状態を検出し、減電圧状態を検出した場合には、マイコンをリセットさせ、過電圧状態を検出した場合には、ヒューズを溶断させるものである。
【００１５】
請求項２の発明は、請求項１に記載の電子機器装置において、減電圧／過電圧検出回路は、減電圧状態及び過電圧状態を検出する電圧検出手段と、電圧検出手段によって減電圧状態が検出された場合にオン／オフが切り替わる第１のスイッチング素子を有し、該第１のスイッチング素子のオン／オフが切り替わることにより、マイコンをリセットさせるためのリセット信号を出力するリセット信号生成手段と、電圧検出手段によって過電圧状態が検出された場合にオン／オフが切り替わる第２のスイッチング素子を有し、該第２のスイッチング素子のオン／オフが切り替わることにより、ヒューズを溶断させる過電流を流すヒューズ溶断手段とを備え、電圧検出手段によって減電圧状態が検出された場合、リセット信号生成手段によってマイコンをリセットさせるためのリセット信号を出力することにより、マイコンをリセットさせ、電圧検出手段によって過電圧状態が検出された場合、ヒューズ溶断手段によってヒューズを溶断させる過電流を流すことにより、ヒューズを溶断させるものである。
【００１６】
請求項３の発明は、請求項２に記載の電子機器装置において、電圧検出手段は、平滑用のコンデンサにより平滑化された電圧を、少なくとも第１の電圧及び第２の電圧に分圧する複数の抵抗を含み、該複数の抵抗によって分圧された第１の電圧に基いて、減電圧状態を検出すると共に、該複数の抵抗によって分圧された第２の電圧に基いて、過電圧状態を検出し、リセット信号生成手段における第１のスイッチング素子のオン／オフは、第１の電圧に基いて切り替わり、ヒューズ溶断手段における第２のスイッチング素子のオン／オフは、第２の電圧に基いて切り替わるものである。
【００１７】
請求項４の発明は、請求項３に記載の電子機器装置において、電圧検出手段における複数の抵抗は、平滑用のコンデンサにより平滑化された電圧の出力ラインとグランドとの間に直列に接続され、リセット信号生成手段は、第１のスイッチング素子に加え、第３のスイッチング素子と、フォトカプラとを有し、第１のスイッチング素子は、電界効果トランジスタであり、ゲートが複数の抵抗の間に接続され、ドレインが平滑用のコンデンサにより平滑化された電圧の出力ラインとフォトカプラの発光ダイオードのアノードとの間に接続され、ソースがグランドに接続されており、第３のスイッチング素子は、接合形トランジスタであり、ベースがフォトカプラのフォトトランジスタのコレクタに接続され、コレクタがマイコンをリセットさせるためのリセット信号の出力ラインとされ、エミッタがグランドに接続されており、フォトカプラは、その発光ダイオードのアノードが平滑用のコンデンサにより平滑化された電圧の出力ラインと第１のスイッチング素子のドレインとの間に接続され、該発光ダイオードのカソードがグランドに接続され、そのフォトトランジスタのコレクタが第３のスイッチング素子のベースに接続され、該フォトトランジスタのエミッタがグランドに接続されており、電圧検出手段によって減電圧状態が検出されたときに、複数の抵抗により分圧された第１の電圧によって第１のスイッチング素子が導通しないことにより、フォトカプラのフォトトランジスタを導通させ、第３のスイッチング素子を導通させて、第３のスイッチング素子のコレクタをグランドレベルにして、マイコンをリセットさせるためのリセット信号を出力するものである。
【００１８】
請求項５の発明は、請求項３に記載の電子機器装置において、電圧検出手段における複数の抵抗は、平滑用のコンデンサにより平滑化された電圧の出力ラインとグランドとの間に直列に接続され、ヒューズ溶断手段は、第２のスイッチング素子を有し、第２のスイッチング素子は、電界効果トランジスタであり、ゲートが複数の抵抗の間に接続され、ドレインが平滑用のコンデンサにより平滑化された電圧の出力ラインに接続され、ソースがグランドに接続されており、電圧検出手段によって過電圧圧状態が検出されたときに、複数の抵抗により分圧された第２の電圧によって第２のスイッチング素子が導通することにより、ヒューズを溶断させる過電流を流すものである。
【発明の効果】
【００１９】
請求項１乃至請求項３の発明によれば、減電圧状態になると、減電圧／過電圧検出回路の働きによって、マイコンがリセットされて、回路が保護される。また、過電圧状態になると、減電圧／過電圧検出回路の働きによって、ヒューズが溶断されて、回路が保護される。従って、減電圧状態になった場合及び過電圧状態になった場合に、回路を保護することができる。
【００２０】
しかも、減電圧／過電圧検出回路は、平滑用のコンデンサにより平滑化された電圧に基いて（すなわち、トランスにより変圧される前の電圧に基いて）、減電圧状態、及び過電圧状態を検出しているため、トランスの種類（トランスの構造）やトランスの個々のバラツキ（個体差）に影響されずに、正確に減電圧状態及び過電圧状態を検出することができる。すなわち、トランスを異なる種類（異なる構造）のものに変更しても、定数設定の変更（減電圧／過電圧検出回路を構成する抵抗やダイオード等の変更）を必要とせずに、正確に減電圧状態及び過電圧状態を検出することができる。また、トランスの個々のバラツキがあったとしても、減電圧状態及び過電圧状態の検出にバラツキを生じることがなく、正確に減電圧状態及び過電圧状態を検出することができる。従って、減電圧状態になった場合及び過電圧状態になった場合に、より確実に回路を保護することができる。
【００２１】
さらに、減電圧／過電圧検出回路における減電圧状態の検出、及び過電圧状態の検出ともに、平滑用のコンデンサにより平滑化された電圧に基いている（すなわち、共通の電圧に基いている）ため、簡易な構成によって、減電圧状態になった場合及び過電圧状態になった場合に、より確実に回路を保護する構成を実現することができる。
【００２２】
請求項２乃至請求項５の発明によれば、減電圧／過電圧検出回路における減電圧状態の検出及び過電圧状態の検出は、電圧検出手段によって行われる。すなわち、減電圧／過電圧検出回路における減電圧状態の検出のための構成と過電圧状態の検出のための構成が共用されている。このため、簡易な構成によって、減電圧状態になった場合及び過電圧状態になった場合に、より確実に回路を保護する構成を実現することができる。
【図面の簡単な説明】
【００２３】
【図１】本発明の一実施形態に係る電子機器装置の構成を示す電気回路図。
【図２】従来の電子機器装置の構成を示す電気回路図。
【図３】別の電子機器装置の構成を示す電気回路図。
【発明を実施するための形態】
【００２４】
以下、本発明を具体化した実施形態による電子機器装置について図面を参照して説明する。図１は、本実施形態による電子機器装置の構成を示す。電子機器装置１は、例えば液晶テレビやＤＶＤレコーダ等の、商用ＡＣ電源から交流電圧の供給を受けて動作する装置である。
【００２５】
電子機器装置１は、ＡＣコンセント２と、整流回路部３と、平滑用のコンデンサ４と、発振回路５と、電源トランス６と、２次側電源回路７と、マイコン８と、リセットＩＣ９と、ヒューズ１０と、減電圧／過電圧検出回路１１等を備える。
【００２６】
ＡＣコンセント２は、商用ＡＣ電源から交流電圧の供給を受けるために、商用ＡＣ電源に接続される。ＡＣコンセント２が商用ＡＣ電源に接続されることにより、商用ＡＣ電源から電子機器装置１に交流電圧が供給される。商用ＡＣ電源から電子機器装置１に供給された交流電圧は、ＡＣコンセント２からヒューズ１０を介して整流回路部３に入力される。
【００２７】
整流回路部３は、ダイオードブリッジ回路であり、ＡＣコンセント２からヒューズ１０を介して入力された交流電圧（すなわち、商用ＡＣ電源から電子機器装置１に供給された交流電圧）を直流電圧に整流する。平滑用のコンデンサ４は、整流回路部３により整流された直流電圧を平滑化する。整流回路部３及び平滑用のコンデンサ４によって１次側電源回路が構成されている。
【００２８】
発振回路５は、平滑用のコンデンサ４により平滑化された電圧が入力されることにより、所定の発振周波数で発振し、その発振周波数で電源トランス６を駆動する。電源トランス６は、１次側コイル及び２次側コイルを有する。電源トランス６は、発振回路５が所定の発振周波数で発振して、発振回路５の発振周波数で駆動されることにより、平滑用のコンデンサ４により平滑化された電圧を変圧して、その変圧した電圧を出力する。すなわち、電源トランス６は、平滑用のコンデンサ４により平滑化された電圧が１次側コイルに入力される状態と入力されない状態とに発振回路５の発振周波数で切替えられることにより、２次側コイルから所定の電圧（１次側コイルに流れる電流の変化及び１次側コイルと２次側コイルとのコイル巻数比に応じた電圧）を出力する。
【００２９】
２次側電源回路７は、電源トランス６の２次側コイルから出力される電圧、すなわち、電源トランス６により変圧された電圧から、マイコン８、及び不図示の負荷（液晶ディスプレイやＤＶＤドライブ等）を動作させるための各電圧値の電圧を生成する。
【００３０】
マイコン８は、２次側電源回路７により生成された電圧、すなわち、電源トランス６により変圧された電圧から生成された電圧によって動作する。マイコン８は、リセットＩＣ９から入力される起動制御電圧がローレベルからハイレベルに変化すると、起動処理を実行し、その後、通常処理を実行する。マイコン８は、通常処理において、２次側電源回路７により生成された電圧によって動作して、電子機器装置１の動作を制御する。
【００３１】
また、マイコン８は、リセットＩＣ９から入力される起動制御電圧がハイレベルからローレベルに変化すると、リセット処理を実行する。そして、その後に、リセットＩＣ９から入力される起動制御電圧がローレベルからハイレベルに変化すると、リセット解除して、上記と同様に、起動処理を実行し、その後、通常処理を実行する。
【００３２】
リセットＩＣ９は、減電圧／過電圧検出回路１１から出力されるリセット電圧に応じて、マイコン８に入力する起動制御電圧をハイレベルとローレベルとに切換える。すなわち、リセットＩＣ９は、減電圧／過電圧検出回路１１から出力されるリセット電圧がグランドレベルのときには、マイコン８に入力する起動制御電圧をローレベルにし、減電圧／過電圧検出回路１１から出力されるリセット電圧が所定電圧値以上のときには、マイコン８に入力する起動制御電圧をハイレベルにする。
【００３３】
つまり、リセットＩＣ９は、減電圧／過電圧検出回路１１から出力されるリセット電圧がグランドレベルからハイレベルに変化すると、マイコン８に入力する起動制御電圧をローレベルからハイレベルに変化させ、これにより、マイコン８が起動処理を実行する。また、リセットＩＣ９は、減電圧／過電圧検出回路１１から出力されるリセット電圧がハイレベルからグランドレベルに変化すると、マイコン８に入力する起動制御電圧をハイレベルからローレベルに変化させ、これにより、マイコン８がリセット処理を実行する。減電圧／過電圧検出回路１１から出力されるリセット電圧のハイレベルからグランドレベルへの変化が、マイコンをリセットさせるためのリセット信号である。
【００３４】
ヒューズ１０は、ＡＣコンセント２と整流回路部３との間に接続されており、過電流が流れたときに、その過電流によって溶断される。ヒューズ１０は、過電流が流れて溶断されることにより、ＡＣコンセント２から整流回路部３への交流電圧の入力、すなわち、商用ＡＣ電源から電子機器装置１への交流電圧の供給を遮断する。
【００３５】
減電圧／過電圧検出回路１１は、減電圧状態になった場合に、マイコン８をリセットさせ、また、過電圧状態になった場合に、ヒューズ１０を溶断させるためのものである。ここで、減電圧状態とは、電子機器装置１に第１の規定電圧値以下の電圧が供給された状態である。第１の規定電圧値は、電子機器装置１に本来供給されるべき定格電圧値よりも小さい電圧値であって、例えば、電子機器装置１に本来供給されるべき定格電圧値の半分の電圧値である。また、過電圧状態とは、電子機器装置１に第２の規定電圧値以上の電圧が供給された状態である。第２の規定電圧値は、電子機器装置１に本来供給されるべき定格電圧値よりも大きい電圧値であって、例えば、電子機器装置１に本来供給されるべき定格電圧値の２倍の電圧値である。
【００３６】
まず、減電圧／過電圧検出回路１１の概略について説明する。減電圧／過電圧検出回路１１は、電圧検出回路２１と、リセット信号生成回路２２と、ヒューズ溶断回路２３とを備える。
【００３７】
電圧検出回路２１は、減電圧状態及び過電圧状態を検出するためのものであり、複数の抵抗として、第１の抵抗Ｒ１と、第２の抵抗Ｒ２と、第３の抵抗Ｒ３を有する。第１の抵抗Ｒ１、第２の抵抗Ｒ２、及び第３の抵抗Ｒ３は、平滑用のコンデンサ４により平滑化された電圧を第１の電圧及び第２の電圧に分圧する。すなわち、第１の抵抗Ｒ１、第２の抵抗Ｒ２、及び第３の抵抗Ｒ３は、平滑用のコンデンサ４により平滑化された電圧を、第２の抵抗Ｒ２及び第３の抵抗Ｒ３の合成抵抗と第１の抵抗Ｒ１とによって第１の電圧に分圧し、第１の抵抗Ｒ１及び第２の抵抗Ｒ２の合成抵抗と第３の抵抗Ｒ３とによって第２の電圧に分圧する。電圧検出回路２１は、第２の抵抗Ｒ２及び第３の抵抗Ｒ３の合成抵抗と第１の抵抗Ｒ１とによって分圧された第１の電圧に基いて、減電圧状態を検出すると共に、第１の抵抗Ｒ１及び第２の抵抗Ｒ２の合成抵抗と第３の抵抗Ｒ３とによって分圧された第２の電圧に基いて、過電圧状態を検出する。
【００３８】
リセット信号生成回路２２は、マイコン８をリセットさせるためのリセット信号を出力するためのものであり、第１のスイッチング素子Ｔ１を有する。第１のスイッチング素子Ｔ１は、電圧検出回路２１において第２の抵抗Ｒ２及び第３の抵抗Ｒ３の合成抵抗と第１の抵抗Ｒ１とによって分圧された第１の電圧に基いて、オン（ドレイン・ソース間が導通状態）／オフ（ドレイン・ソース間が非導通状態）が切り替わり、電圧検出回路２１によって減電圧状態が検出された場合に、オフに切り替わる。リセット信号生成回路２２は、電圧検出回路２１によって減電圧状態が検出された場合に、第１のスイッチング素子Ｔ１がオフに切り替わることにより、マイコン８をリセットさせるためのリセット信号を出力する。
【００３９】
ヒューズ溶断回路２３は、ヒューズ１０を溶断させる過電流を流すためのものであり、第２のスイッチング素子Ｔ２を有する。第２のスイッチング素子Ｔ２は、電圧検出回路２１において第１の抵抗Ｒ１及び第２の抵抗Ｒ２の合成抵抗と第３の抵抗Ｒ３とによって分圧された第２の電圧に基いて、オン（ドレイン・ソース間が導通状態）／オフ（ドレイン・ソース間が非導通状態）が切り替わり、電圧検出回路２１によって過電圧状態が検出された場合に、オンに切り替わる。ヒューズ溶断回路２３は、電圧検出回路２１によって過電圧状態が検出された場合に、第２のスイッチング素子Ｔ２がオンに切り替わることにより、ヒューズ１０を溶断させる過電流を流す。
【００４０】
つまり、減電圧／過電圧検出回路１１は、電圧検出回路２１によって、平滑用のコンデンサ４により平滑化された電圧を監視して、平滑用のコンデンサ４により平滑化された電圧に基いて、減電圧状態及び過電圧状態を検出する。そして、減電圧／過電圧検出回路１１は、電圧検出回路２１によって減電圧状態が検出された場合には、リセット信号生成回路２２によって、マイコン８をリセットさせるためのリセット信号を出力することにより、マイコン８をリセットさせる。また、減電圧／過電圧検出回路１１は、電圧検出回路２１によって過電圧状態が検出された場合には、ヒューズ溶断回路２３によって、ヒューズ１０を溶断させる過電流を流すことにより、ヒューズ１０を溶断させる。
【００４１】
次に、減電圧／過電圧検出回路１１の詳細について説明する。減電圧／過電圧検出回路１１は、上述のように、電圧検出回路２１と、リセット信号生成回路２２と、ヒューズ溶断回路２３とを備える。電圧検出回路２１は、上記第１の抵抗Ｒ１、第２の抵抗Ｒ２、及び第３の抵抗Ｒ３に加え、ツェナーダイオードＤ１、Ｄ２を有する。リセット信号生成回路２２は、上記第１のスイッチング素子Ｔ１に加え、第３のスイッチング素子Ｔ３と、フォトカプラＵ１と、抵抗Ｒ４、Ｒ５、Ｒ６、Ｒ７とを有する。ヒューズ溶断回路２３は、上記第２のスイッチング素子Ｔ２に加え、抵抗Ｒ８を有する。
【００４２】
ツェナーダイオードＤ１は、カソードが１次側電圧出力ライン（平滑用のコンデンサ４により平滑化された電圧の出力ライン）Ｌ１に接続され、アノードがツェナーダイオードＤ２のカソードに接続されている。ツェナーダイオードＤ２は、カソードがツェナーダイオードＤ１のアノードに接続され、アノードが第１の抵抗Ｒ１に接続されている。
【００４３】
ツェナーダイオードＤ１は、カソードが１次側電圧出力ライン（平滑用のコンデンサ４により平滑化された電圧の出力ライン）Ｌ１に接続され、アノードがツェナーダイオードＤ２のカソードに接続されている。ツェナーダイオードＤ２は、カソードがツェナーダイオードＤ１のアノードに接続され、アノードが第１の抵抗Ｒ１に接続されている。
【００４４】
第１の抵抗Ｒ１は、一端側がツェナーダイオードＤ２のアノードに接続され、他端側が第２の抵抗Ｒ２に接続されている。すなわち、第１の抵抗Ｒ１は、一端側がツェナーダイオードＤ１、Ｄ２を介して１次側電圧出力ラインＬ１に接続され、他端側が第２の抵抗Ｒ２に接続されている。第２の抵抗Ｒ２は、一端側が第１の抵抗Ｒ１の他端側に接続され、他端側が第３の抵抗Ｒ３の一端側に接続されている。第３の抵抗Ｒ３は、一端側が第２の抵抗Ｒ２の他端側に接続され、他端側がグランドに接続されている。第１の抵抗Ｒ１、第２の抵抗Ｒ２、第３の抵抗Ｒ３の複数の抵抗は、１次側電圧出力ラインＬ１とグランドとの間に直列に接続されている。
【００４５】
第１のスイッチング素子Ｔ１は、電界効果トランジスタであり、ゲートが第１の抵抗Ｒ１と第２の抵抗Ｒ２の間に接続され、ドレインが１次側電圧出力ラインＬ１とフォトカプラＵ１の発光ダイオードＵ１１のアノードとの間に接続され、ソースがグランドに接続されている。第１のスイッチング素子Ｔ１のドレインと１次側電圧出力ラインＬ１の間には、抵抗Ｒ４が接続されている。第１のスイッチング素子Ｔ１のドレインとフォトカプラＵ１の発光ダイオードＵ１１のアノードの間には、抵抗Ｒ５が接続されている。
【００４６】
第３のスイッチング素子Ｔ３は、接合形トランジスタであり、ベースが抵抗Ｒ６を介してフォトカプラＵ１のフォトトランジスタＵ１２のコレクタに接続され、コレクタがリセット信号出力ライン（マイコン８をリセットさせるためのリセット信号の出力ライン）Ｌ２とされ、エミッタがグランドに接続されている。第３のスイッチング素子Ｔ３のベースとコレクタの間には、抵抗Ｒ７が設けられている。抵抗Ｒ７と第３のスイッチング素子Ｔ３のベースとの間には、２次側電源回路７により生成された電圧がかかっている。
【００４７】
フォトカプラＵ１は、その発光ダイオードＵ１１のアノードが抵抗Ｒ５を介して１次側電圧出力ラインＬ１と第１のスイッチング素子Ｔ１のドレインとの間に接続され、発光ダイオードＵ１１のカソードがグランドに接続され、そのフォトトランジスタＵ１２のコレクタが抵抗Ｒ６を介して第３のスイッチング素子Ｔ３のベースに接続され、フォトトランジスタＵ１２のエミッタがグランドに接続されている。
【００４８】
第２のスイッチング素子Ｔ２は、電界効果トランジスタであり、ゲートが第２の抵抗Ｒ２と第３の抵抗Ｒ３の間に接続され、ドレインが抵抗Ｒ８を介して１次側電圧出力ラインＬ１に接続され、ソースがグランドに接続されている。
【００４９】
電子機器装置１に供給される電圧が低下すると、１次側電圧出力ラインＬ１から出力される電圧が低下し、第２の抵抗Ｒ２及び第３の抵抗Ｒ３の合成抵抗と第１の抵抗Ｒ１とにより分圧された第１の電圧、すなわち、第１のスイッチング素子Ｔ１のゲート電位が低下する。また、第１の抵抗Ｒ１及び第２の抵抗Ｒ２の合成抵抗と第３の抵抗Ｒ３とにより分圧された第２の電圧、すなわち、第２のスイッチング素子Ｔ２のゲート電位も低下する。
【００５０】
また、電子機器装置１に供給される電圧が上昇すると、１次側電圧出力ラインＬ１から出力される電圧が上昇し、第２の抵抗Ｒ２及び第３の抵抗Ｒ３の合成抵抗と第１の抵抗Ｒ１とにより分圧された第１の電圧、すなわち、第１のスイッチング素子Ｔ１のゲート電位が上昇する。また、第１の抵抗Ｒ１及び第２の抵抗Ｒ２の合成抵抗と第３の抵抗Ｒ３とにより分圧された第２の電圧、すなわち、第２のスイッチング素子Ｔ２のゲート電位も上昇する。
【００５１】
第１のスイッチング素子Ｔ１、及び第２のスイッチング素子Ｔ２は、各々、ゲート電位が閾値電圧より大きいときに導通状態（ドレイン・ソース間が導通状態）になり、ゲート電位が閾値電圧以下のときに非導通状態（ドレイン・ソース間が非導通状態）になる。
【００５２】
第１の抵抗Ｒ１、第２の抵抗Ｒ２、第３の抵抗Ｒ３の抵抗値は、電子機器装置１に供給される電圧が第１の規定電圧値以下のとき（減電圧状態のとき）に、第１のスイッチング素子Ｔ１のゲート電位（第２の抵抗Ｒ２及び第３の抵抗Ｒ３の合成抵抗と第１の抵抗Ｒ１とにより分圧された第１の電圧）が閾値電圧以下になる（電子機器装置１に供給される電圧が第１の規定電圧値より大きいときに、第１のスイッチング素子Ｔ１のゲート電位が閾値電圧より大きくなる）ように設定されている。また、第１の抵抗Ｒ１、第２の抵抗Ｒ２、第３の抵抗Ｒ３の抵抗値は、電子機器装置１に供給される電圧が第２の規定電圧値以上のとき（過電圧状態のとき）に、第２のスイッチング素子Ｔ２のゲート電位（第１の抵抗Ｒ１及び第２の抵抗Ｒ２の合成抵抗と第３の抵抗Ｒ３とにより分圧された第２の電圧）が閾値電圧より大きくなる（電子機器装置１に供給される電圧が第２の規定電圧値より小さいときに、第２のスイッチング素子Ｔ２のゲート電位が閾値電圧以下になる）ように設定されている。
【００５３】
このような構成の減電圧／過電圧検出回路１１において、電子機器装置１に通常の電圧（本来供給されるべき定格電圧値の電圧であって、第１の規定電圧値より大きく、第２の規定電圧値より小さい電圧）が供給されている場合には、第２の抵抗Ｒ２及び第３の抵抗Ｒ３の合成抵抗と第１の抵抗Ｒ１とにより分圧された第１の電圧、すなわち、第１のスイッチング素子Ｔ１のゲート電位が閾値電圧より大きくなり、第１のスイッチング素子Ｔ１が導通状態になる。また、第１の抵抗Ｒ１及び第２の抵抗Ｒ２の合成抵抗と第３の抵抗Ｒ３とにより分圧された第２の電圧、すなわち、第２のスイッチング素子Ｔ２のゲート電位が閾値電圧以下になり、第２のスイッチング素子Ｔ２が非導通状態になる。
【００５４】
そして、第１のスイッチング素子Ｔ１が導通状態になることにより、１次側電圧出力ラインＬ１から抵抗Ｒ４、第１のスイッチング素子Ｔ１のドレイン・ソース間を経由してグランドに電流が流れる。これにより、フォトカプラＵ１の発光ダイオードＵ１１に電流が流れず、フォトカプラＵ１がオフになり（発光ダイオードＵ１１が発光せず、フォトトランジスタＵ１２が非導通状態になり）、第３のスイッチング素子Ｔ３が非導通状態になり、リセット信号出力ラインＬ２（第３のスイッチング素子Ｔ２のコレクタ）から出力される電圧がハイレベルになる。
【００５５】
また、第２のスイッチング素子Ｔ２が非導通状態になることにより、１次側電圧出力ラインＬ１から抵抗Ｒ８、第２のスイッチング素子Ｔ２のドレイン・ソース間を経由してグランドに電流が流れない。
【００５６】
ここで、電子機器装置１に供給される電圧が第１の規定電圧値以下になると（減電圧状態になると）、第２の抵抗Ｒ２及び第３の抵抗Ｒ３の合成抵抗と第１の抵抗Ｒ１とにより分圧された第１の電圧、すなわち、第１のスイッチング素子Ｔ１のゲート電位が閾値電圧以下になり、第１のスイッチング素子Ｔ１が非導通状態になる（第２のスイッチング素子Ｔ２は、非導通状態に維持される）。
【００５７】
そして、第１のスイッチング素子Ｔ１が非導通状態になることにより、１次側電圧出力ラインＬ１から抵抗Ｒ４、抵抗Ｒ５、フォトカプラＵ１の発光ダイオードＵ１１を経由してグランドに電流が流れる。これにより、フォトカプラＵ１がオンになり（発光ダイオードＵ１１が発光して、フォトトランジスタＵ１２が導通状態になり）、第３のスイッチング素子Ｔ３が導通状態になり、リセット信号出力ラインＬ２から出力される電圧がハイレベルからグランドレベルになる。すなわち、リセット信号出力ラインＬ２からマイコンをリセットさせるためのリセット信号が出力される。これにより、リセットＩＣ９からマイコン８に入力される起動制御電圧がハイレベルからローレベルに変化し、マイコン８がリセット処理を実行する。
【００５８】
すなわち、電圧検出回路２１は、電子機器装置１に第１の規定電圧値以下の電圧が供給されたときに、第２の抵抗Ｒ２及び第３の抵抗Ｒ３の合成抵抗と第１の抵抗Ｒ１とによって分圧された第１の電圧が閾値電圧以下になることにより、減電圧状態を検出する。そして、リセット信号生成回路２２は、電圧検出回路２１によって減電圧状態が検出されたときに、第２の抵抗Ｒ２及び第３の抵抗Ｒ３の合成抵抗と第１の抵抗Ｒ１とにより分圧された第１の電圧によって第１のスイッチング素子Ｔ１が導通しないことにより、フォトカプラＵ１のフォトトランジスタＵ１２を導通させ、第３のスイッチング素子Ｔ３を導通させて、リセット信号出力ラインＬ２から出力する電圧をグランドレベルにして、リセット信号出力ラインＬ２からマイコン８をリセットさせるためのリセット信号を出力して、マイコン８をリセットさせる。
【００５９】
また、電子機器装置１に供給される電圧が第２の規定電圧値以上になると（過電圧状態になると）、第１の抵抗Ｒ１及び第２の抵抗Ｒ２の合成抵抗と第３の抵抗Ｒ３とにより分圧された第２の電圧、すなわち、第２のスイッチング素子Ｔ２のゲート電位が閾値電圧より大きくなり、第２のスイッチング素子Ｔ２が導通状態になる（第１のスイッチング素子Ｔ１は、導通状態に維持される）。
【００６０】
そして、第２のスイッチング素子Ｔ２が導通状態になることにより、１次側電圧出力ラインＬ１から抵抗Ｒ８、第２のスイッチング素子Ｔ２のドレイン・ソース間を経由してグランドに電流が流れる。これにより、ヒューズ１０に過電流が流れて、ヒューズ１０が溶断される。
【００６１】
すなわち、電圧検出回路２１は、電子機器装置１に第２の規定電圧値以上の電圧が供給されたときに、第１の抵抗Ｒ１及び第２の抵抗Ｒ２の合成抵抗と第３の抵抗Ｒ３とにより分圧された第２の電圧が閾値電圧以下になることにより、過電圧状態を検出する。そして、ヒューズ溶断回路２３は、電圧検出回路２１によって過電圧状態が検出されたときに、第１の抵抗Ｒ１及び第２の抵抗Ｒ２の合成抵抗と第３の抵抗Ｒ３とにより分圧された第２の電圧によって第２のスイッチング素子Ｔ２が導通することにより、ヒューズ１０を溶断させる過電流を流して、ヒューズ１０を溶断させる。
【００６２】
このように、減電圧／過電圧検出回路１１は、電圧検出回路２１によって、平滑用のコンデンサ４により平滑化された電圧（１次側電圧出力ラインＬ１から出力された電圧）を監視して、平滑用のコンデンサ４により平滑化された電圧に基いて、減電圧状態及び過電圧状態を検出する。そして、減電圧／過電圧検出回路１１は、電圧検出回路２１によって減電圧状態が検出された場合には、リセット信号生成回路２２によって、マイコン８をリセットさせるためのリセット信号を出力することにより、マイコン８をリセットさせる。また、減電圧／過電圧検出回路１１は、電圧検出回路２１によって過電圧状態が検出された場合には、ヒューズ溶断回路２３によって、ヒューズ１０を溶断させる過電流を流すことにより、ヒューズ１０を溶断させる。
【００６３】
このような構成の電子機器装置１によれば、減電圧状態になると（第１の規定電圧値以下の電圧が供給されると）、減電圧／過電圧検出回路１１の働きによって、マイコン８がリセットされて、電子機器装置１の回路が保護される。また、過電圧状態になると（第２の規定電圧値以上の電圧が入力されると）、減電圧／過電圧検出回路１１の働きによって、ヒューズ１０が溶断されて、電子機器装置１の回路が保護される。従って、減電圧状態になった場合及び過電圧状態になった場合に、電子機器装置１の回路を保護することができる。
【００６４】
しかも、減電圧／過電圧検出回路１１は、平滑用のコンデンサ４により平滑化された電圧に基いて（すなわち、電源トランス６により変圧される前の電圧に基いて）、減電圧状態、及び過電圧状態を検出しているため、電源トランス６の種類（電源トランス６の構造）や電源トランス６の個々のバラツキ（個体差）に影響されずに、正確に減電圧状態及び過電圧状態を検出することができる。すなわち、電源トランス６を異なる種類（異なる構造）のものに変更しても、定数設定の変更（減電圧／過電圧検出回路１１を構成する抵抗やダイオード等の変更）を必要とせずに、正確に減電圧状態及び過電圧状態を検出することができる。また、電源トランス６の個々のバラツキがあったとしても、減電圧状態及び過電圧状態の検出にバラツキを生じることがなく、正確に減電圧状態及び過電圧状態を検出することができる。従って、減電圧状態になった場合及び過電圧状態になった場合に、より確実に回路を保護することができる。
【００６５】
さらに、減電圧／過電圧検出回路１１における減電圧状態の検出、及び過電圧状態の検出ともに、平滑用のコンデンサ４により平滑化された電圧に基いている（すなわち、共通の電圧に基いている）ため、簡易な構成によって、減電圧状態になった場合及び過電圧状態になった場合に、より確実に回路を保護する構成を実現することができる。
【００６６】
また、減電圧／過電圧検出回路１１における減電圧状態の検出及び過電圧状態の検出は、電圧検出回路２１によって行われる。すなわち、減電圧／過電圧検出回路１１における減電圧状態の検出のための構成と過電圧状態の検出のための構成が共用されている。このため、簡易な構成によって、減電圧状態になった場合及び過電圧状態になった場合に、より確実に回路を保護する構成を実現することができる。
【００６７】
なお、本発明は、上記実施形態の構成に限られず、種々の変形が可能である。例えば、減電圧／過電圧検出回路は、平滑用のコンデンサにより平滑化された電圧を監視し、平滑用のコンデンサにより平滑化された電圧に基いて、減電圧状態及び過電圧状態を検出して、マイコンをリセットさせ、ヒューズを溶断させる構成であれば、他の構成であってもよい。また、本発明は、液晶テレビやＤＶＤレコーダに限られず、マイコンを備え、商用ＡＣ電源から交流電圧の供給を受けて動作する電子機器であれば、どのような電子機器にも適用可能である。
【符号の説明】
【００６８】
１    電子機器装置
２    ＡＣコンセント
３    整流回路部
４    平滑用のコンデンサ
５    発振回路
６    電源トランス
７    ２次側電源回路
８    マイコン
９    リセットＩＣ
１０    ヒューズ
１１    減電圧／過電圧検出回路
２１    電圧検出回路
２２    リセット信号生成回路
２３    ヒューズ溶断回路
Ｒ１    第１の抵抗
Ｒ２    第２の抵抗
Ｒ３    第３の抵抗
Ｔ１    第１のスイッチング素子
Ｔ２    第２のスイッチング素子
Ｔ３    第３のスイッチング素子
Ｕ１  フォトカプラ
Ｕ１１    フォトカプラの発光ダイオード
Ｕ１２    フォトカプラのフォトトランジスタ
【図１】
2013066282.tif 000003
【図２】
2013066282.tif 000004
【図３】
2013066282.tif 000005